(57)【特許請求の範囲】
【請求項１】
複数のリレーと、それらのリレーを制御する制御信号を入力したりリレー接点からの接点入力を出力する入出力信号用コネクタと、それらのリレーの入出力信号に対応する端子台とを一体的に保持させたリレーターミナルであって、
複数のリレーを一体的に保持する上段側の保持部材と、端子台を保持する下段側の保持部材とを有し、前記上段側の保持部材と前記下段側の保持部材との結合構造は、端子台の上方に複数のリレーが覆い被さっている第１の状態と、端子台の上方に複数のリレーが覆い被さっていない第２の状態とを選択的に採り得る結合構造であることを特徴とするリレーターミナル。
【請求項２】
下段側の保持部材内に収容されている端子台の端子板が上段側の保持部材との接合部まで延設され、上段側の保持部材には、両保持部材の第１の状態のときに上記端子板と導通する導通部材が内挿され、該導通部材の端末を保持部材の表面に露呈させてチェック端子を構成したことを特徴とする請求項１に記載のリレーターミナル。
【請求項３】
端子板の端末を上段側の保持部材との接合部に延びるプラグピンとして構成するとともに、上段側の保持部材に内挿される導通部材をソケットピンとして構成したことを特徴とする請求項２に記載のリレーターミナル。
【請求項４】
チェック端子の先端は、保持部材の表面に凹設された段付き穴内に収容されていることを特徴とする請求項２又は３に記載のリレーターミナル。
【請求項５】
結合構造が、第１の状態と第２の状態との間で両者の相対位置を変更可能な可動結合構造であることを特徴とする請求項１乃至４のいずれかに記載のリレーターミナル。
【請求項６】
結合構造が、第１の状態と第２の状態とを選択的に採り得る可脱結合構造であることを特徴とする請求項１乃至４のいずれかに記載のリレーターミナル。
【請求項７】
下段側の保持部材には、増設用端子台の装着スペースが確保されていることを特徴とする請求項１乃至４のいずれかに記載のリレーターミナル。
【発明の詳細な説明】
【０００１】
【発明の属する技術分野】
本発明は、例えば、プログラマブルコントローラの入出力ユニットと制御対象負荷との間等に必要に応じて介在されるリレーターミナルに係り、特に、従来一枚の配線基板上に前後方向へと平面的に分布されていたリレー群と端子台とを上下方向へと２段重ねに配置することにより、制御盤内の取付面上における占有面積を可及的に削減可能としたリレーターミナルに関する。
【０００２】
【従来の技術】
例えば、プログラマブルコントローラの入出力ユニットと制御対象負荷との間等には、リレーターミナルが必要に応じて介在される。このようにリレーターミナルを使用して制御対象負荷を駆動するように構成すると、プログラマブルコントローラ付属の出力ユニットにて直接に制御対象負荷を駆動する場合に比べて、リレー焼損時等の安全性が高いこと、電源選択の自由度が高いこと、負荷に近接してリレーを配置できること、等の様々な利点がある。
【０００３】
【発明が解決しようとする課題】
しかしながら、このような従来のリレーターミナルにあっては、一枚の配線基板の前側領域に端子台を又後側領域にリレー群を搭載すると言う平面的な部品分布構造を採用していたため、制御盤内の垂直な取付面に取り付けた場合、上下方向の占有幅が大きく、その分だけ制御盤の実装密度が低下すると言う問題点があった。
【０００４】
この発明は、従来のリレーターミナルにおける以上の問題点に着目してなされたものであり、その目的とするところは、取付面における専有面積が小さく実装密度を上げることが可能なリレーターミナルを提供することにある。
【０００５】
【課題を解決するための手段】
この出願の請求項１に記載の発明は、複数のリレーと、それらのリレーを制御する制御信号を入力したりリレー接点からの接点入力を出力する入出力信号用コネクタと、それらのリレーの入出力信号に対応する端子台とを一体的に保持させたリレーターミナルであって、
前記複数のリレー並びに前記端子台の保持構造は、前記複数のリレーが上段に又前記端子台が下段に位置する上下２段重ねの構造とされているという基本構造を有する。
【０００６】
このような基本構造によれば、制御盤内の垂直な取付面に取り付けた場合、上下方向の占有幅が小さくなり、その分だけ制御盤の実装密度を向上できる。
【０００７】
加えて、このリレーターミナルは、複数のリレーを一体的に保持する上段側の保持部材と、端子台を保持する下段側の保持部材とを有し、前記上段側の保持部材と前記下段側の保持部材との結合構造は、端子台の上方に複数のリレーが覆い被さっている第１の状態と、端子台の上方に複数のリレーが覆い被さっていない第２の状態とを選択的に採り得る結合構造であることを特徴とする。
【０００８】
このような構成によれば、リレーターミナルの通電状態においては第１の状態を採用することで上段側の保持部材に端子台カバーの役目を果たさせる一方、端子台の配線作業に際しては第２の状態を採用することで端子台のビス止め作業を容易ならしめるものである。
【０００９】
この出願の請求項２に記載の発明は、下段側の保持部材内に収容されている端子台の端子板が上段側の保持部材との接合部まで延設され、上段側の保持部材には、両保持部材の第１の状態のときに上記端子板と導通する導通部材が内挿され、該導通部材の端末を保持部材の表面に露呈させてチェック端子を構成したことを特徴とする請求項１に記載のリレーターミナルにある。
【００１０】
このような構成によれば、上、下段の保持部材が第１の状態にあるとき、上段の保持部材の表面にチェック端子が露呈しているため、テスタ棒などをチェック端子にあてることにより、動作の確認を行なうことができ、電気的なチェックを簡単に行なえる。
【００１１】
この出願の請求項３に記載の発明は、端子板の端末を上段側の保持部材との接合部に延びるプラグピンとして構成するとともに、上段側の保持部材に内挿される導通部材をソケットピンとして構成したことを特徴とする請求項２に記載のリレーターミナルにある。
【００１２】
このような構成によれば、上、下段の保持部材同士を第１の状態に組み付ければ、プラグピンとソケットピンとが確実に導通して、端子台の端子とチェック端子との電気的接続を確実に実現できる。
【００１３】
この出願の請求項４に記載の発明は、チェック端子の先端は、保持部材の表面に凹設された段付き穴内に収容されていることを特徴とする請求項２又は３に記載のリレーターミナルにある。
【００１４】
このような構成によれば、通電中に金属片等が不用意にチェック端子に触れることがないため、不慮の感電事故等が起こらない。
【００１５】
この出願の請求項５に記載の発明は、結合構造が、第１の状態と第２の状態との間で両者の相対位置を変更可能な可動結合構造であることを特徴とする請求項１乃至４のいずれかに記載のリレーターミナルにある。
【００１６】
このような構成によれば、例えば、下段側の保持部材に対して上段側の保持部材を開閉可能な蓋体として取り付けることで、リレーターミナルの通電状態においては第１の状態を採用することで上段側の保持部材に端子台カバーの役目を果たさせる一方、端子台の配線作業に際しては第２の状態を採用することで端子台のビス止め作業を容易ならしめるものである。
【００１７】
この出願の請求項６に記載の発明は、結合構造が、第１の状態と第２の状態とを選択的に採り得る可脱結合構造であることを特徴とする請求項１乃至４のいずれかに記載のリレーターミナルにある。
【００１８】
このような構成によれば、例えば、下段側の保持部材に対して上段側の保持部材を着脱可能な蓋体として取り付けることで、リレーターミナルの通電状態においては第１の状態を採用することで上段側の保持部材に端子台カバーの役目を果たさせる一方、端子台の配線作業に際しては第２の状態を採用することで端子台のビス止め作業を容易ならしめるものである。
【００１９】
この出願の請求項７に記載の発明は、下段側の保持部材には、増設用端子台の装着スペースが確保されていることを特徴とする請求項１乃至４のいずれかに記載のリレーターミナルにある。
【００２０】
このような構成によれば、負荷用電源を接続する端子台のためのスペースをリレーターミナルの側面に別途配置することが不要となる。
【００２１】
【発明の実施の形態】
以下、この発明の好ましい実施の形態につき、添付図面を参照して詳細に説明する。
【００２２】
図１は第１の実施形態に係るリレーターミナルの増設用端子台の未装着状態を斜め前上方から見た斜視図、図２は同リレーターミナルの増設用端子台の装着状態を斜め前上方から見た斜視図、図３は上部ハウジングを取り除いて示す図２と同様な図、図４は第１の実施形態に係るリレーターミナルの増設用端子台の装着状態を斜め後上方から見た斜視図、図５は上部ハウジングを取り除いて示す図４と同様な図、図６は第１の実施形態に係る増設用端子台装着済みリレーターミナルの上部ハウジングを回動させて開いた状態を斜め前上方から見た斜視図、図７は上部ハウジングを取り除いて示す図６と同様な図、図８は斜め後下方から見た図６と同様な図、図９は上部ハウジングを取り除いて示す図８と同様な図、図１０は第２の実施形態に係るリレーターミナルの増設用端子台の装着状態を斜め前上方から見た斜視図、図１１は図１０のリレーターミナルにおいて、上部ハウジングを下部ハウジングから離脱させた状態を示す斜め前方から見た斜視図、図１２は第３の実施形態に係るリレーターミナルを示す正面図、図１３は同リレーターミナルの左側面図、図１４は同リレーターミナルの平面図、図１５は同リレーターミナルにおいて上部ハウジングと下部ハウジングとの接合状態を示す断面図、図１６は同リレーターミナルにおいて上部ハウジングと下部ハウジングとを分離して示す断面図、図１７は第１の実施形態に係るリレーターミナルの配線基板の半田付け方法を説明する図、図１８は第１の実施形態に係るリレーターミナルの変形例を示す模式図、図１９は増設用端子台の結線例を示す回路図、図２０は従来構造のリレーターミナルと本発明のリレーターミナルとを取付面専有面積において比較して示す図である。
【００２３】
なお、図において、１は上部ハウジング、２は下部ハウジング、３はＤＩＮレール取付板、４は加締め留め部、５は常設端子台、６はコネクタ、７はリレー、８は増設端子台、９は上部基板、１０はリード線、１１はソケット、１２は下部基板、１３は上下基板の接続部分、１４はレバー、１５はピン、１６は長孔、２０ａ，２０ｂは端子板、２１ａ，２１ｂはプラグピン、２２ａ，２２ｂはソケットピン、２３ａ，２３ｂはチェック端子、１００はリレーターミナルである。
【００２４】
それらの図から明らかなように、本発明に係るリレーターミナル１００は、上部ハウジング１と下部ハウジング２とを備えている。上部ハウジング１内には、図３に詳細に示されるように、上部基板９が図では水平に保持されている。この上部基板９には多数のソケット１１が一列に整列された状態で半田付けにより固定されている。そして、これらのソケット１１にはリレー７が着脱自在に装着される。上部基板９の背後には、コネクタ６が横向きに半田付け固定されている。上部基板９上には、ソケット１１からのコイル端子をコネクタ６のピンに導通させるための配線パターンが施されている。従って、各リレーのコイルに対する制御信号は、コネクタ６を介して導入可能となされている。
【００２５】
一方、下部ハウジング２には、常設端子台５が保持されると共に、下部ハウジング２の底部にはＤＩＮレール取付板３が固定されている。従って、下部ハウジング２は、取付板３を介してＤＩＮレールへと取り付け可能となされている。下部ハウジング２の前部には図１に示されるように、増設用端子台の装着スペース２ｃが設けられており、この装着スペース２ｃには増設端子台固定用溝３ａが形成されている。増設端子台８の下面には、その長手方向へ延びる突条（図示せず）が形成されており、この突条を装着スペース２ｃの増設端子台固定用溝３ａにはめ込むことで、増設端子台８は装着スペース２ｃに固定される。増設端子台８が取り付けられた状態のリレーターミナルが図２以降の図面に詳細に示されている。
【００２６】
このように、本発明に係るリレーターミナル１００においては、複数のリレー７，７…と、それらのリレーを制御する制御信号を入力したりリレー接点からの接点入力を出力する入出力信号用コネクタ６と、それらのリレー７，７…の入出力信号に対応する端子台５とを一体的に保持させたリレーターミナルであり、しかも複数のリレー７，７…並びに端子台５の保持構造は、複数のリレー７，７…が上段に位置しかつ端子台５が下段に位置する上下２段重ねの構造とされていることに注意されたい。
【００２７】
そして、複数のリレー７，７…を一体的に保持する上段側の保持部材（この例では、上部ハウジング１が相当）と、端子台５を保持する下段側の保持部材（この例では下部ハウジング２がこれに相当）との結合構造は、端子台５の上方（頭上）に複数のリレー７，７…が覆い被さっている第１の状態と、端子台５の上方（頭上）に複数のリレー７，７…が覆い被さっていない第２の状態とを選択的に採り得る結合構造が採用されている。この点を、更に具体的に説明すると、第１のハウジング１の側面には、レバー部１ａが一体的に形成されている。レバー部１ａの基部は、下部ハウジング２の側面に対して加締め留め部４を支点として回動可能に固定されている。一方、レバー部１ａの先端部には図示しないが下部ハウジング２側へ突出する突起が形成される一方、これと対応する下部ハウジング２の側面には弧状のガイド溝２ａが形成されている。そのため、上部ハウジング１の全体は加締め留め部４を支点として回動し、この回動角度はレバー部１ａの突起がガイド溝２ａの上端に当接することによって規制される。
【００２８】
このようにして、上部ハウジング１が開かれた状態が図６に詳細に示されている。尚、図では中途半端な開き方となっているが、完全に開かれた場合、常設端子台を構成する端子５ａ，５ｂは完全に上方から露出する状態となる。これにより、端子のビス止め作業が容易に行えることとなる。
【００２９】
即ち、上部ハウジング１を後方へと回動させつつ完全に開いた状態にすれば、常設端子台を構成する下段端子５ａ並びに上段端子５ｂはいずれも完全に上面に露出するから、それらの端子５ａ，５ｂに対してドライバの先端を真上から差し込むことができ、結線作業を容易に行うことができる。一方、上部ハウジング１を反対に手前へ回動させて、図１に示される状態に復帰させれば、上部ハウジング１は下部ハウジング２に取り付けられた常設端子台５に対してカバーとして機能することとなり、充電部が表面に露出しないことから安全性を高めることができる。このように、加締め留め部４を支点として上部ハウジング１を下部ハウジング２に対して回動させつつ開閉することにより、端子台５の上に複数のリレー７，７点が覆い被さっている第１の状態と、複数のリレー７，７点が覆い被さっていない第２の状態とを選択的に採ることができるのである。
【００３０】
次に、第１のハウジングに内蔵されたリレー７，７の接点と、下部ハウジング２に内蔵された端子台５との電気的接続構造について詳細に説明する。出力用リレーターミナルを想定する場合、リレー７の接点と端子台５との間には５Ａ程度の電流容量を確保する必要がある。この場合、既存の技術においては、フレキシブル基板等の可撓性配線板を採用することは難しい。そこで、この例では、この間をリード線１０にて接続している。ここで注目すべきは、リード線１０の引き回し方法である。図示しないが、端子台５は下部ハウジング２に内蔵された下部基板（図１７参照）の上に半田付けにより搭載されている。下部基板上には、常設端子台５を構成する上下の端子５ａ，５ｂに導通する配線パターンが形成されており、この配線パターンの端部と、上部基板９の配線パターンの端部とを電気的に接続すれば、リレー７と端子台５との電気的導通をなすことができる。この場合、通常の考え方に従えば、最短経路をもって両基板９，１２を接続するのであるば、敢えてこの例では、図７に示されるように、下部基板より導出されたリード線１０を上部基板９の下面に沿って一旦前面側へと引き出して上部基板９の上面側へと迂回させた後、リード線の先端を上から下へと上部基板９に貫通させる形で半田付けを行うという手法を採用している。これは、上部基板９と下部基板１２との半田付け作業を、リフロー炉を用いて１回の工程で完了させ、これにより工数を削減しようとするものである。
【００３１】
即ち、図１７に示されるように、リフロー炉内においては、上下の基板９，１２は接続部分１３を介して一体的に結合されており、この状態でリード線１０は両基板に跨るようにして配線される。すると、半田付け面は、すべて両基板９，１２の同一の片面に集中することとなり、リフロー炉における１回の工程で半田付け作業を完了することができる。尚、図において、５は常設端子台、６はコネクタ、１０はリード線、１１はリレーソケット、１２は下部基板、１３は上下基板の接続部分である。
【００３２】
先に説明したように、本発明で大切なことは、複数のリレーと、それらのリレーを制御する制御信号を入力したりリレー接点からの接点入力を出力する入出力信号用コネクタと、それらのリレーの入出力信号に対応する端子台とを一体的に保持させたリレーターミナルにおいて、前記複数のリレー並びに前記端子台の保持構造として、前記複数のリレーが上段にまた前記端子台が下段に位置する上下２段重ねの構造を採用することにある。このような構造を採用することは、それ自体制御板上の取付面における専有面積を従前のものに比べ削減し、その実装密度を向上させることができるのである。又、複数のリレーを一体的に保持する上段側の保持部材と、端子台を保持する下段側の保持部材とを設け、前記上段側の保持部材と前記下段側の保持部材との結合構造として、端子台の上方に複数のリレーが覆い被さっている第１の状態と、端子台の上方に複数のリレーが覆い被さっていない第２の状態とを選択的に採り得る構造を採用することによって、通電状態における安全性並びに結線作業の容易性を図ることができるのである。
【００３３】
もっとも、第１の状態と第２の状態とを取り得る結合構造は、何も図１〜図９に示された回動式結合構造に限られるものではない。そのような機能を有する他の結合構造が図１０並びに図１１に示されている。
【００３４】
この結合構造にあっては、第１の状態と第２の状態とを選択的に採り得る可脱結合構造が採用されている。即ち、図１０並びに図１１に示されるように、上部ハウジング１の左右両側下面には、弾性突片１ｂが下方へ向けて一体的に形成されており、これらの弾性突片１ｂの外側の面には抜け止め機能を有する突起１ｃが形成されている。一方、これと対応する下部ハウジング２の両側面には、穴２ｂが開口形成されており、弾性突片１ｂを上から下へと下部ハウジング２内へと挿入すると、弾性突片１ａが撓みつつ突起１ｂが穴２ｂにはめ込まれることによって、上部ハウジング１と下部ハウジング２との結合が完了する。結合が完了した状態では、図１０に示されるように、下部ハウジング２に保持された常設端子台５並びに増設端子台８の上には、リレー７を保持する上部ハウジング１が覆い被さった状態となり、先に説明したと同様にして、上部ハウジング１が端子台５，８に対する保護カバーとして機能する。これに対して、下部ハウジング２の側面に開口された穴２ｂから臨む突起１ｃを押し込みながら、上部ハウジング１を下部ハウジング２から上方へと引き離そうとすれば、弾性突片１ａが撓みつつ突起１ｃが穴２ｂから抜け出して、図１１に示されるように下部ハウジング２から上部ハウジング１を離脱させることができる。この状態においては、端子台５，８はすべて上面から露出されることとなるため、ドライバをビスに差し込むことにより、何ら支障なく端子結線作業を行うことができる。
【００３５】
ところで、上述した図１〜図１１に示す第１並びに第２の実施形態では、リレー群と端子台とを上下方向に２段重ねとすることにより、実装密度を高めるというものであるが、上部ハウジング１と下部ハウジング２とを結合させた状態では、端子台５が上部ハウジング１により覆われているため、端子５ａ，５ｂの電気的チェックを行なう際には、上部ハウジング１と下部ハウジング２とを分離させて、端子５ａ，５ｂを露呈させる必要があったが、図１２乃至図１６に示すリレーターミナル１００の第３の実施形態においては、上部ハウジング１と下部ハウジング２とを結合させたままでも、端子５ａ，５ｂの電気的チェックが簡単に行なえるように工夫されている。
【００３６】
すなわち、図１２，図１３に示すように、下部ハウジング２に保持された常設端子台５の上には、リレー７を保持する上部ハウジング１が覆い被さった状態となり、上部ハウジング１が端子台５に対する保護カバーとして機能している。
【００３７】
そして、上部ハウジング１と下部ハウジング２との接合構造は、上部ハウジング１の左右両側下面には、弾性突片１ｂが下方へ向けて一体的に形成されており、これらの弾性突片１ｂの外側の面には抜け止め機能を有する突起１ｃが形成されている。一方、これと対応する下部ハウジング２の両側面には、穴２ｂが開口形成されており、弾性突片１ｂを上から下へと下部ハウジング２内へと挿入すると、弾性突片１ａが撓みつつ突起１ｂが穴２ｂにはめ込まれることによって、上部ハウジング１と下部ハウジング２とを接合させ、その後、取付ねじ１ｄを締め付けることにより固定を完了する。
【００３８】
そして、この実施形態においては、図１５，図１６に示すように、端子５ａ，５ｂと接続している端子台２０ａ，２０ｂが後方に向けて水平状に延設され、更に、鉛直上方に折曲された後、その上部がプラグピン２１ａ，２１ｂとして形成されており、このプラグピン２１ａ，２１ｂは、下部ハウジング２の凹部２ｄ内に臨んでいる。
【００３９】
一方、上部ハウジング１には、下部ハウジング２の凹部２ｄ内に嵌まり込む凸部１ｅが突設されており、この凸部１ｅ内には、上記プラグピン２１ａ，２１ｂと対応するソケットピン２２ａ，２２ｂが内挿されている。このソケットピン２２ａ，２２ｂは、上部基板９に実装され、ソケットピン２２ａ，２２ｂの上側端子がチェック端子２３ａ，２３ｂを構成する。尚、ソケットピン２２ａ，２２ｂは、リレー７の出力端子とパターンで接続している。
【００４０】
そして、図１５に示すように、上部ハウジング１と下部ハウジング２とを結合状態としたとき、プラグピン２１ａ，２１ｂとソケットピン２２ａ，２２ｂとが電気的に接続し、チェック端子２３ａ，２３ｂは端子５ａ，５ｂと確実に導通することになり、図１２に示すように、上部ハウジング１の表面にチェック端子２３ａ，２３ｂを露呈させることにより、上部ハウジング１と下部ハウジング２との結合状態においても端子５ａ，５ｂの電気的チェックを簡単に行なえる。
【００４１】
尚、チェック端子２３ａ，２３ｂは、上部ハウジング１の上面に凹設されている段付き穴１ｆ内に収容されており、通電中に不用意に金属片等がチェック端子２３ａ，２３ｂに触れるのを防止でき、感電事故等を確実に防止できる等の安全構造となっている。
【００４２】
次に、図１〜図９に示された回動式結合構造における変形例が図１８に示されている。この例にあっては、端子台５を前後方向へとスライド自在に構成すると共に、端子台両側のブラケットに垂直方向に設けた長穴１６を、ピン１５を介して上部ハウジングのレバー１４の先端に結合させることにより、上部ハウジング１の回転軸１７を支点とする後方への回動と共に、端子台５が前方へと押し出されることによって、最小の回転角度をもって、端子台５がその上面から露出するようにしたものである。このような構成を採用すれば、上部ハウジング１の回転角度は最小に抑えられるため、第１のハウジング１の後方への回転用スペースを最小にとどめることができる。
【００４３】
次に、増設用端子台８のための装着スペース２ａを設けた点について説明する。従来のリレーターミナルでは負荷用電源を接続する端子台をリレーターミナルの側部に配置する必要があり、これが実装密度を低下させる一因となっていた。これに対して、本発明にあっては、リレーターミナルそれ自身の上に増設用端子台の装着スペース２ａを設け、これに増設端子台８を装着可能としたため、リレーターミナルの周辺に増設端子台のための余分なスペースが不要となる。尚、増設端子台８を設けて負荷用電源を接続するための回路構成については、よく知られているが、念のためその一例を図１９に示す。図において、５は常設端子台、８は増設端子台、ＡＣは交流電源、Ｘは負荷である。
【００４４】
最後に、従来のリレーターミナル２００と本発明のリレーターミナル１００とを占積率において比較して図２０に示す。同図に明らかなように、本発明に係るリレーターミナル１００の垂直面に取り付けた状態における上下方向の幅Ｗ１は従来品２００の幅Ｗ２に比べ著しく狭く、その分だけ占積率が向上している。これは、従来品２００がリレー７と端子台とを前後方向へと平面的に隣接配置しているのに対し、本発明にあっては先に説明したように上下２段重ねの構造としているためである。
【００４５】
なお、以上説明した各実施形態では、リレーとして電磁リレーを示したが、本発明で言うリレーにはソリッドステートリレー（ＳＳＲ）も含まれることは言うまでもない。
【００４６】
【発明の効果】
以上の説明から明らかなように、本発明によれば、取付面における占有面積が小さく実装密度を上げることが可能なリレーターミナルを提供することができる。
【図面の簡単な説明】
【図１】第１の実施形態に係るリレーターミナルの増設用端子台の未装着状態を斜め前上方から見た斜視図である。
【図２】同リレーターミナルの増設用端子台の装着状態を斜め前上方から見た斜視図である。
【図３】上部ハウジングを取り除いて示す図２と同様な図である。
【図４】第１の実施形態に係るリレーターミナルの増設用端子台の装着状態を斜め後上方から見た斜視図である。
【図５】上部ハウジングを取り除いて示す図４と同様な図である。
【図６】第１の実施形態に係る増設用端子台装着済リレーターミナルの上部ハウジングを回動させて開いた状態を斜め前上方から見た斜視図である。
【図７】上部ハウジングを取り除いて示す図６と同様な図である。
【図８】斜め後下方から見た図６と同様な図である。
【図９】上部ハウジングを取り除いて示す図８と同様な図である。
【図１０】第２の実施形態に係るリレーターミナルの増設用端子台の装着状態を斜め前上方から見た斜視図である。
【図１１】図１０のリレーターミナルにおいて、上部ハウジングを下部ハウジングから離脱させた状態を示す斜め前方から見た斜視図である。
【図１２】第３の実施形態に係るリレーターミナルを示す正面図である。
【図１３】同リレーターミナルの左側面図である。
【図１４】同リレーターミナルの平面図である。
【図１５】同リレーターミナルにおいて、上部ハウジングと下部ハウジングとの接合状態を示す図１４中XV−XV線断面図である。
【図１６】同リレーターミナルにおいて、上部ハウジングと下部ハウジングとを分離して示す断面図である。
【図１７】第１の実施形態に係るリレーターミナルの配線基板の半田付け方法を説明する図である。
【図１８】第１の実施形態に係るリレーターミナルの変形例を示す模式図である。
【図１９】増設用端子台の結線例を示す回路図である。
【図２０】従来構造のリレーターミナルと本発明のリレーターミナルとを取付面占有面積において比較して示す図である。
【符号の説明】
１  上部ハウジング
１ａ  レバー
１ｂ  弾性突片
１ｃ  突起
１ｄ  取付ねじ
１ｅ  凸部
１ｆ  段付き穴
２  下部ハウジング
２ａ  ガイド穴
２ｂ  穴
２ｃ  装着スペース
２ｄ  凹部
３  ＤＩＮレール取付板
３ａ  増設端子台固定用溝
４  加締め留め部
５  常設端子台
５ａ，５ｂ  端子
６  コネクタ
７  リレー
８  増設端子台
８ａ  端子
９  上部基板
１０  リード線
１１  ソケット
１２  下部基板
１３  上下基板の接続部分
１４  レバー
１５  ピン
１６  長孔
１７  回転軸
２０ａ，２０ｂ  端子板
２１ａ，２１ｂ  プラグピン
２２ａ，２２ｂ  ソケットピン
２３ａ，２３ｂ  チェック端子
１００  リレーターミナル
【図１】
0003900231.tif 000002
【図２】
0003900231.tif 000003
【図３】
0003900231.tif 000004
【図４】
0003900231.tif 000005
【図５】
0003900231.tif 000006
【図６】
0003900231.tif 000007
【図７】
0003900231.tif 000008
【図８】
0003900231.tif 000009
【図９】
0003900231.tif 000010
【図１０】
0003900231.tif 000011
【図１１】
0003900231.tif 000012
【図１２】
0003900231.tif 000013
【図１３】
0003900231.tif 000014
【図１４】
0003900231.tif 000015
【図１５】
0003900231.tif 000016
【図１６】
0003900231.tif 000017
【図１７】
0003900231.tif 000018
【図１８】
0003900231.tif 000019
【図１９】
0003900231.tif 000020
【図２０】
0003900231.tif 000021